(57)【要約】【課題】仮設足場の組立及び解体の作業性を向上させることができる緊結装置を提供する。【解決手段】支柱１２のフランジ１６と連結部材１４とを連結する緊結装置１０に関し、連結部材１４に設けられ、上顎部２６と、下顎部２８と、上顎部２６と下顎部２８との間に形成されフランジ１６を受け入れる受入部３０と、を有する顎金具２０と、顎金具２０に対して上下方向に移動可能に接続され、上顎部２６の挿通孔３２、下顎部２８の挿通孔３４、及びフランジ１６の緊結孔１８に挿通されてフランジ１６と顎金具２０とを緊結する楔部材２２と、を備えている。そして、顎金具２０は、下顎部２８が、上顎部２６に対して回動することで受入部３０を拡大させるように構成されている。【選択図】図６
2020200679.tif 000002
【特許請求の範囲】
【請求項１】
支柱のフランジと連結部材とを連結する緊結装置であって、
前記連結部材に設けられ、上顎部と、下顎部と、前記上顎部と前記下顎部との間に形成され前記フランジを受け入れる受入部と、を有する顎金具と、
前記顎金具に対して上下方向に移動可能に接続され、前記上顎部の挿通孔、前記下顎部の挿通孔、及び前記フランジの緊結孔に挿通されて前記フランジと前記顎金具とを緊結する楔部材と、を備え、
前記顎金具は、前記下顎部が、前記上顎部に対して回動することで前記受入部を拡大させる、緊結装置。
【請求項２】
請求項１記載の緊結装置であって、前記下顎部は基端部に設けられた回動軸部を介して前記顎金具に回動自在に取り付けられるとともに、自重で下方に回動することで前記受入部を拡大させる、緊結装置。
【請求項３】
請求項２記載の緊結装置であって、前記下顎部は、前記回動軸部から延び出て前記上顎部に対向配置される本体部と、前記回動軸部を介して前記本体部から離間して形成された舌部と、を備え、前記下顎部が自重で下方に回動した状態において、前記舌部は前記本体部よりも前記顎金具の先端側に突出している、緊結装置。
【請求項４】
請求項３記載の緊結装置であって、前記舌部が前記フランジと当接しつつ回動することにより、前記下顎部の前記本体部を前記上顎部と平行な位置に持ち上げる、緊結装置。
【請求項５】
請求項３又は４記載の緊結装置であって、前記下顎部は、前記上顎部と平行な向きに配置された状態において、前記舌部と前記本体部との間で前記フランジを保持する、緊結装置。
【請求項６】
請求項５記載の緊結装置であって、前記舌部の先端部の幅方向の寸法が、前記フランジの前記緊結孔の幅方向の寸法よりも大きく形成されている、緊結装置。
【請求項７】
請求項２〜６のいずれか１項に記載の緊結装置であって、前記顎金具は、前記上顎部の基端側に円筒状に形成された筒部を備え、前記筒部の先端には前記回動軸部を支持する装着片が設けられている、緊結装置。
【請求項８】
請求項２〜７のいずれか１項に記載の緊結装置であって、前記顎金具は、前記下顎部の回動範囲を規制する回動規制部を備える、緊結装置。
【請求項９】
請求項１〜８のいずれか１項に記載の緊結装置であって、前記上顎部の先端及び前記下顎部の先端は前記支柱の外周面を収容可能な弧状の凹面よりなる当接部が形成されているとともに、前記下顎部の前記当接部の幅が前記上顎部の前記当接部の幅よりも広い、緊結装置。
【発明の詳細な説明】
【技術分野】
【０００１】
本発明は、仮設足場等の足場に使用される緊結装置に関する。
【背景技術】
【０００２】
従来、構築と解体を行う仮設足場において、緊結装置が提供されている。緊結装置は、支柱と横架材等の連結部材を脱着自在に連結するための装置であり、連結部材の端部に設けられた顎金具と楔部材とを備えている。支柱には、連結部材を連結するためのフランジが所定部位に設けられている。そのフランジは、楔部材を挿入するための緊結孔を備えている。緊結装置は、顎金具をフランジに装着し、フランジの緊結孔に楔部材を打ち込むことにより、顎金具とフランジとを強固に固定して、支柱と連結部材との緊結を行う。
【０００３】
例えば、特許文献１には、側面視してコの字型に形成された顎金具を備えた緊結装置において、楔部材を弾性部材で付勢して顎金具をフランジに装着する際に邪魔にならない位置に楔部材を保持する構造の緊結装置が開示されている。
【先行技術文献】
【特許文献】
【０００４】
【特許文献１】特開２０１８−１５０７５１号公報
【発明の概要】
【発明が解決しようとする課題】
【０００５】
従来の緊結装置は、コの字型の顎金具を備えることにより、比較的高い緊結強度が得られるという利点がある。しかしながら、楔部材が緊結装置の顎金具の上顎部と下顎部の挿通孔に落ち込んでしまい、作業者が楔部材を逐一持ち上げる手間が必要になるという問題がある。また、コの字型の顎金具にフランジを装着する際に、挿入方向又は離脱方向が水平方向に限定されてしまう。そのため、仮設足場の組立及び解体の作業効率が上がらないという問題がある。
【０００６】
そこで、本発明は、仮設足場の組立及び解体の作業性を向上させることができる緊結装置を提供することを目的とする。
【課題を解決するための手段】
【０００７】
本発明の一観点は、支柱のフランジと連結部材とを連結する緊結装置であって、前記連結部材に設けられ、上顎部と、下顎部と、前記上顎部と下顎部との間に形成され前記フランジを受け入れる受入部と、を有する顎金具と、前記顎金具に対して上下方向に移動可能に接続され、前記上顎部の挿通孔、前記下顎部の挿通孔、及び前記フランジの緊結孔に挿通されて前記フランジと前記顎金具とを緊結する楔部材と、を備え、前記顎金具は、前記下顎部が、前記上顎部に対して回動することで前記受入部を拡大させる、緊結装置にある。
【発明の効果】
【０００８】
上記観点の緊結装置によれば、下顎部を回動させて受入部を拡大させることができるため、顎金具のフランジへの装着が容易となり、仮設足場の組立及び解体の作業性を向上させることができる。
【図面の簡単な説明】
【０００９】
【図１】仮設足場における支柱及び連結部材の連結状態を示す側面図である。
【図２】図２Ａは、本実施形態の緊結装置で連結部材と支柱とを緊結した状態を示す断面図であり、図２Ｂは本実施形態の緊結装置で連結部材と支柱とを緊結した状態の側面図である。
【図３】図３Ａは、本実施形態の緊結装置を正位置で示す斜視図であり、図３Ｂは図３Ａの緊結装置の逆位置で示す斜視図である。
【図４】緊結装置の分解斜視図である。
【図５】緊結装置の平面図である。
【図６】図６Ａは、緊結装置の下顎部を下方に回動させた状態の断面図であり、図６Ｂは緊結装置の受入部にフランジを接近させた状態の断面図である。
【図７】図７Ａは、フランジにより下顎部が持ち上げられる途中の状態を示す断面図であり、図７Ｂはフランジに緊結装置の楔部材を打ち込む途中の状態を示す断面図である。
【図８】図８は、フランジに緊結装置を緊結させた状態を示す断面図である。
【発明を実施するための形態】
【００１０】
以下、本発明の好適な実施形態を挙げ、添付の図面を参照して詳細に説明する。
【００１１】
図１に示すように、本実施形態の緊結装置１０は、例えば仮設足場１００における支柱１２と、横架材等の連結部材１４とを脱着自在に連結するための装置である。支柱１２には、長手方向に間隔をあけて設けられたフランジ１６が１箇所又は複数箇所に設けられている。
【００１２】
図２Ａに示すように、フランジ１６は、支柱１２の周方向に板状に突出した部材であり、周方向に間隔を開けて複数の緊結孔１８が設けられている。図２Ｂに示すように、連結部材１４の端部に設けられた緊結装置１０をフランジ１６に装着し、楔部材２２をフランジ１６の緊結孔１８に打ち込むことにより、緊結装置１０をフランジ１６に緊結するように構成されている。
【００１３】
図３Ａに示すように、緊結装置１０は、顎金具２０と、楔部材２２とを備えている。顎金具２０は、連結部材１４に接合される筒部２４から上顎部２６と、下顎部２８とが、連結部材１４（図２Ａ参照）の長手方向に延び出て形成されている。上顎部２６と下顎部２８との間には、フランジ１６を受け入れ可能な受入部３０が形成されている。上顎部２６には、楔部材２２を挿通可能な挿通孔３２が形成されている。
【００１４】
また、図３Ｂに示すように、下顎部２８には、楔部材２２を挿通可能な挿通孔３４が形成されている。受入部３０にフランジ１６を進入させたときに、フランジ１６の緊結孔１８と、上顎部２６の挿通孔３２及び下顎部２８の挿通孔３４とが上下方向に連通するように形成されている。上顎部２６の先端及び下顎部２８の先端には、支柱１２の外周面に沿う円弧状に形成された当接部２６ａ、２８ａがそれぞれ形成されている。
【００１５】
図４に示すように、楔部材２２は、緊結孔１８と、挿通孔３２、３４とに挿通自在な厚さ（図の幅方向の寸法）を有した板状体よりなり、上下方向の中間部により、楔部３６を構成し、楔部３６の上下に頭部３８と、脚部４０とが設けられている。楔部３６は、腹部３６ａと背部３６ｂとの間の寸法が、下方に向けて次第に狭くなるように形成されている。頭部３８及び脚部４０には、リベットの頭よりなる突出部３８ａ、４０ａがそれぞれ設けられている。これらの突出部３８ａ、４０ａは幅方向に突出しており、楔部材２２が挿通孔３２から抜けるのを阻止するように構成されている。
【００１６】
上顎部２６の挿通孔３２の一端には、連結部材１４の短手方向に広がった取付孔３２ａが形成されている。取付孔３２ａの内部には、先端に向けて板状に延び出た固定部４６が形成されている。その固定部４６には、スプリング４２が装着されている。スプリング４２には、楔部材２２に向けて延び出た板状の保持片４４が形成されている。楔部材２２の楔部３６には、保持片４４と係合する凹部３６ｃが形成されており、この凹部３６ｃに保持片４４が係合した状態で、楔部材２２が挿通孔３２に挿入されている。スプリング４２により、楔部材２２は、先端側に付勢された状態に保たれる。
【００１７】
図２Ｂに示すように、顎金具２０の受入部３０にフランジ１６を進入させてフランジ１６の緊結孔１８の上下に上顎部２６の挿通孔３２と、下顎部２８の挿通孔３４とを隣接させ、楔部材２２をハンマー等により殴打して、下方に押し込む。楔部材２２が下方に押し込まれると、楔部材２２によって緊結孔１８の周縁部と挿通孔３２、３４の周縁部とが圧接される。そして、顎金具２０が支柱１２に向けて前進し、上顎部２６及び下顎部２８の当接部２６ａ、２８ａが支柱１２の外周面に圧接状態で当接される。これにより、フランジ１６と楔部材２２と顎金具２０と、支柱１２との相互間における緊結状態が得られる。
【００１８】
また、図２Ｂの緊結状態からハンマーによる殴打により楔部材２２を上方に移動させると、緊結状態が解除される。
【００１９】
本実施形態の顎金具２０は、下顎部２８が、上顎部２６に対して回動自在に構成されている。以下、顎金具２０の詳細についてさらに説明する。
【００２０】
顎金具２０は、図４に示すように、上顎部２６と、下顎部２８とが別体として設けられている。図３Ｂに示すように、顎金具２０において、上顎部２６は、筒部２４の上側半分から顎金具２０の先端側に向けて延び出ている。顎金具２０の上顎部２６に対応する部分の下半分は切り欠かれた切欠部２７となっている。
【００２１】
その切欠部２７に向けて、一対の装着片５８が筒部２４から突出して設けられている。装着片５８は、幅方向に薄い板状に形成されており、筒部２４から顎金具２０の先端側に向けて延び出ている。一対の装着片５８は、下顎部２８の板状の回動軸部５０の厚さと略同じ距離だけ離間して配置されている。装着片５８には、幅方向に貫通する軸孔５８ａがそれぞれ形成されている。軸孔５８ａは、下顎部２８の回動軸部５０の軸孔５０ａ（図４参照）と連通しており、その軸孔５０ａ、５８ａには、軸ピン６０が挿入されている。
【００２２】
図３Ａ及び図４に示すように、上顎部２６は、先端側の当接部２６ａに向けて幅方向の寸法が徐々に狭くなるように幅方向の両側が斜めに切り欠かれている。これにより、隣接する支柱１２の間に連結部材１４を挿入する際に、当接部２６ａの一部が支柱１２に干渉するのを防止できるように構成されている。
【００２３】
下顎部２８は、板状の本体部４８と、本体部４８の基端側に設けられた回動軸部５０と、回動軸部５０から本体部４８の先端側に向けて延び出た舌部５６とを備えている。本体部４８は、顎金具２０の筒部２４と同じ曲率半径を有する弧状に形成されるとともに、その中央部には、楔部材２２が挿通する挿通孔３４が形成されている。本体部４８の当接部２８ａは、連結部材１４を支柱１２に連結させた際に支柱１２の外周面と当接する部分となっている。当接部２８ａは、支柱１２との安定した連結状態を発揮するべく、支柱１２の外周面と同じ曲率を有する凹面として形成されており、支柱１２の外周面と面接触するように構成されている。
【００２４】
本体部４８の両側部２８ｂは、上顎部２６と対向してフランジ１６の下面と面接触するべく、平坦な面として形成されている。本体部４８の基端部からは、板状の回動軸部５０が弧状の本体部４８の内側に向けて垂直に立ち上がるようにして形成されている。回動軸部５０は、図６Ａに示すように側面視して、本体部４８に対してＬ字型に立ち上がるように形成されており、その屈曲部分に、軸ピン６０が挿入される軸孔５２が形成されている。
【００２５】
また、回動軸部５０の他方の端部には、舌部５６が形成されている。舌部５６は、本体部４８と平行に配置され、本体部４８の先端に向けて延び出ている。舌部５６の下面と、両側部２８ｂとは、平行な面として形成されている。舌部５６と、両側部２８ｂとの間にフランジ１６を収容して保持するべく、舌部５６の下面と両側部２８ｂとは、フランジ１６の厚さよりも広い間隔を開けて形成されている。また、舌部５６の幅方向の寸法は、図２Ａのフランジ１６の緊結孔１８の周囲の部分の幅と略同じ程度に設定される。
【００２６】
図４に示すように、舌部５６の先端側には、コの字型に切り欠かいてなる溝部５７が形成されている。溝部５７は、下顎部２８が顎金具２０に対して回動する際に、楔部材２２が舌部５６と干渉しないように設けられている。図３Ｂに示すように、下顎部２８が上顎部２６と略平行に対向するように配置されると、下顎部２８の挿通孔３４が上顎部２６の挿通孔３２と上下方向に連通して、楔部材２２を下顎部２８の挿通孔３４に挿入可能となる。また、溝部５７の両側部に形成された舌部５６の先端部５６ａは幅方向の寸法が、緊結孔１８の幅よりも大きく形成されることにより、先端部５６ａが緊結孔１８に入らないように構成されている。
【００２７】
本実施形態では、顎金具２０を支柱１２に装着する際に、下顎部２８を支柱１２と干渉しない部位に退避するため、当接部２８ａの幅をより広くとることができる。したがって、図５に示すように、当接部２８ａの幅Ａを上顎部２６の当接部２６ａの幅Ｂよりも広く形成することができる。このように構成することにより、下顎部２８がより広い範囲で支柱１２の外周面と当接して支柱１２をより確実に捉えることができるため、顎金具２０を支柱１２に強固に緊結させることが可能となる。
【００２８】
以下、本実施形態の緊結装置１０の作用について、説明する。
【００２９】
図６Ａに示すように、緊結装置１０は、連結部材１４の端部に装着されている。作業者が連結部材１４を支柱１２に組み付けるべく、顎金具２０を正位置として連結部材１４を持ち上げると、図示のように、自重により、下顎部２８の先端側が下方に下がるようにして回動する。なお、本明細書において、正位置とは、顎金具２０の上顎部２６が上側に配置され、下顎部２８が下側に配置される位置（向き）をいうものとし、逆位置とは、顎金具２０の上顎部２６が下側に配置され、下顎部２８が上側に配置される位置（向き）をいうものとする。筒部２４の軸ピン６０に対向する部分には、下顎部２８の回動範囲を規制する傾斜面６２が形成されている。この傾斜面６２に回動軸部５０の下面５４が当接することにより、下顎部２８が下向きの所定位置に位置決めされて停止する。これにより、下顎部２８と、上顎部２６との間に形成される受入部３０の範囲が広がる。
【００３０】
このとき、下顎部２８の回動軸部５０は、本体部４８よりも顎金具２０の先端側に突出しており、舌部５６が回動軸部５０の端部から下方に向けて突出している。また、楔部材２２は、スプリング４２によって、付勢されて受入部３０の中間位置に配置される。すなわち、楔部材２２は、受入部３０にフランジ１６を挿入する際に、下顎部２８から離間した位置に保持される。
【００３１】
次に、図６Ｂに示すように、顎金具２０にフランジ１６を接近させて、フランジ１６を受入部３０に入れる。本実施形態の顎金具２０では、受入部３０が大きいため、フランジ１６の挿入方向が水平方向制限されず、水平以外の方向からフランジ１６を受入部３０に挿入することができる。従来の緊結装置と異なり、顎金具２０の受入部３０の高さをフランジ１６との高さと合わせて水平方向に回動させる操作は行わなくてよい。
【００３２】
その後、顎金具２０を降下させると、フランジ１６の端部に下顎部２８の舌部５６が当接する。
【００３３】
さらに、顎金具２０を下降させると、舌部５６がフランジ１６に引っ掛って押し上げられる。なお、舌部５６がフランジ１６の緊結孔１８に入ってしまうと、下顎部２８がフランジ１６にロックされていまい、下顎部２８の回動が妨げられてしまう。本実施形態では、舌部５６が緊結孔１８よりも幅広に形成されているため、舌部５６が緊結孔１８に入るトラブルを避けるように構成されている。
【００３４】
その後、連結部材１４の自重に任せて、顎金具２０をフランジ１６の上に降ろす。これにより、図７Ａに示すように、連結部材１４の自重によって、舌部５６が押し上げられる。そして、下顎部２８が軸ピン６０を軸に回動することにより、上顎部２６に向けて持ち上がるように回動して受入部３０が狭まる。すなわち、顎金具２０において、舌部５６は受入部３０を狭める動作のトリガーとして機能する。そして、図７Ｂに示すように、下顎部２８が、上顎部２６と略平行な向きにまで持ち上がることで、フランジ１６の上面及び下面が上顎部２６及び下顎部２８で挟まれるよう。このとき、フランジ１６は、舌部５６と下顎部２８の両側部２８ｂとの間に挟まれるようにして保持される。フランジ１６が下顎部２８と上顎部２６とに挟まれて安定的に保持される。
【００３５】
図７Ｂの状態では、挿通孔３２、３４及び緊結孔１８が上下方向に連通し、楔部材２２を挿通孔３２、３４及び緊結孔１８に挿入することができる。そして、楔部材２２の頭部３８をハンマー等で殴打して下方の緊結孔１８に楔部材２２を圧入する。これにより、楔部材２２が図示のように緊結孔１８に圧入されてゆく。
【００３６】
図８に示すように、楔部材２２を所定の緊結位置まで打ち込むことにより、楔部材２２により、フランジ１６と顎金具２０とがガタつくことなく緊結された状態となる。この状態では、楔部材２２の腹部３６ａがフランジ１６の緊結孔１８の内側壁と圧接する。また、楔部材２２の背部３６ｂが上顎部２６の当接部２６ａの楔部材２２側の端部及び下顎部２８の当接部２８ａの楔部材２２側の端部に圧接する。すなわち、楔部材２２が、上顎部２６、下顎部２８及びフランジ１６の３点と圧接することにより、連結部材１４がフランジ１６に対してガタつくことなく強固に緊結される。以上の操作により、緊結装置１０の緊結が完了する。
【００３７】
本実施形態の緊結装置１０は、以下の効果を奏する。
【００３８】
本実施形態は、支柱１２のフランジ１６と連結部材１４とを連結する緊結装置１０に関し、連結部材１４に設けられ、上顎部２６と、下顎部２８と、上顎部２６と下顎部２８との間に形成されフランジ１６を受け入れる受入部３０と、を有する顎金具２０と、顎金具２０に対して上下方向に移動可能に接続され、上顎部２６の挿通孔３２、下顎部２８の挿通孔３４、及びフランジ１６の緊結孔１８に挿通されてフランジ１６と顎金具２０とを緊結する楔部材２２と、を備えている。そして、顎金具２０は、下顎部２８が、上顎部２６に対して回動することで受入部３０を拡大させるように構成されている。このように構成することにより、受入部３０にフランジ１６を入れる操作が容易になり、例えば、顎金具２０をフランジ１６の上に乗せるような操作でも、顎金具２０の受入部３０にフランジ１６を配置することができる。
【００３９】
上記の緊結装置１０において、下顎部２８は基端部に設けられた回動軸部５０を介して顎金具２０に回動自在に取り付けられるとともに、自重で下方に回動することで受入部３０を拡大させるように構成されていてもよい。このように構成すると、連結部材１４を持ち上げた際に、自重で下顎部２８が開いて受入部３０が広がるため、作業性に優れる。
【００４０】
緊結装置１０において、下顎部２８は、回動軸部５０から延び出て上顎部２６に対向配置される本体部４８と、回動軸部５０を介して本体部４８から離間して形成された舌部５６を備えてもよい。上記の緊結装置１０において、下顎部２８は、上顎部２６に対向配置される本体部４８と、本体部４８の基端付近に形成された回動軸部５０と、本体部４８の回動軸部５０から屈曲して延び出た舌部５６と、を備え、下顎部２８が自重で下方に回動した状態において、舌部５６は本体部４８よりも顎金具２０の先端側に突出しているように構成してもよい。この場合、舌部５６がフランジ１６と当接しつつ回動することにより、下顎部２８の本体部４８を上顎部２６と平行な位置に持ち上げるように構成してもよい。このように構成することで、受入部３０にフランジ１６を配置した際に、舌部５６が受入部３０と当接して、下顎部２８を持ち上げるように回動させることができる。これにより、顎金具２０をフランジ１６に乗せる操作だけで、下顎部２８が持ち上がって受入部３０が閉まるため、作業性に優れる。
【００４１】
上記の緊結装置１０において、下顎部２８は、回動軸部５０の先端から本体部４８の先端側に向けて本体部４８と平行な向きに屈曲して延び、本体部４８との間でフランジ１６を収容する舌部５６を備えてもよい。また下顎部２８は、上顎部２６と平行な向きに配置された状態において、舌部５６と本体部４８との間でフランジ１６を保持してもよい。
【００４２】
上記の緊結装置１０において、舌部５６の先端部の幅方向の寸法がフランジ１６の緊結孔１８の幅方向の寸法よりも大きく形成されていてもよい。このように構成することにより、舌部５６の先端部が緊結孔１８に引っ掛かって下顎部２８の回動が妨げられるのを防ぐことができる。
【００４３】
上記の緊結装置１０において、顎金具２０は、上顎部２６の基端側に円筒状に形成された筒部２４と、筒部２４の先端から上顎部２６に対向して突出し、回動軸部５０を支持する装着片５８をさらに有していてもよい。
【００４４】
上記の緊結装置１０において、顎金具２０は、下顎部２８の回動範囲を規制する、回動規制部を備えていてもよい。この回動規制部を設けることにより、舌部５６がフランジ１６と確実に当接する位置に下顎部２８を位置決めすることができる。
【００４５】
上記の緊結装置１０において、上顎部２６の先端及び下顎部２８の先端は支柱１２の外周面を収容可能な弧状の凹面よりなる当接部２６ａ、２８ａが形成されているとともに、下顎部２８の当接部２８ａの幅が上顎部２６の当接部２６ａの幅よりも広くてもよい。下顎部２８は、受入部３０にフランジ１６を入れた後に、持ち上げられて支柱１２と当接するため、より広い当接部２８ａとすることができる。これにより、下顎部２８が、支柱１２の外周面をより広い範囲で捉えることができ、緊結装置１０を、より一層強固に緊結することができる。
【００４６】
上記において、本発明について好適な実施形態を挙げて説明したが、本発明は前記実施形態に限定されるものではなく、本発明の趣旨を逸脱しない範囲において、種々の改変が可能なことは言うまでもない。
【符号の説明】
【００４７】
１０…緊結装置                      １２…支柱
１４…連結部材                      １６…フランジ
１８…緊結孔                        ２０…顎金具
２２…楔部材                        ２４…筒部
２６…上顎部                        ２８…下顎部
【図１】
2020200679.tif 000003
【図２】
2020200679.tif 000004
【図３】
2020200679.tif 000005
【図４】
2020200679.tif 000006
【図５】
2020200679.tif 000007
【図６】
2020200679.tif 000008
【図７】
2020200679.tif 000009
【図８】
2020200679.tif 000010